(57)【特許請求の範囲】
【請求項１】
被加熱物を誘導加熱する加熱コイルと、前記加熱コイルに高周波電流を供給するインバータ回路と、前記被加熱物から放射される赤外線を検出する赤外線センサユニットと、前記赤外線センサの出力より前記被加熱物の温度を算出する温度算出手段と、前記温度算出手段の出力に応じて前記インバータ回路の出力を制御する制御手段と、外気を本体内に送風する冷却ファンとを備え、前記赤外線センサユニットは赤外線センサと、平面部の端部を折り曲げて形成した側壁を有するケースＡと、前記ケースＡの平面部より大なる平面部の端部を折り曲げて形成した側壁を有するケースＢとで構成され、相互の側壁間に隙間を設けるとともに、前記ケースＡおよび前記ケースＢの両方の側壁に穴または切り欠きなどの開口を設け、かつ互いの前記開口が側壁垂直方向から見て貫通しない構成とした誘導加熱調理器。
【請求項２】
被加熱物を誘導加熱する加熱コイルと、前記加熱コイルに高周波電流を供給するインバータ回路と、前記被加熱物から放射される赤外線を検出する赤外線センサユニットと、前記赤外線センサの出力より前記被加熱物の温度を算出する温度算出手段と、前記温度算出手段の出力に応じて前記インバータ回路の出力を制御する制御手段と、外気を本体内に送風する冷却ファンとを備え、前記赤外線センサユニットは赤外線センサと、平面部の端部を折り曲げて形成した側壁を有するケースＡと、前記ケースＡの平面部より大なる平面部の端部を折り曲げて形成した側壁を有するケースＢとで構成され、相互の側壁間に隙間を設けるとともに、前記ケースＢの平面部にあり、かつ前記ケースＡの側壁と前記ケースＢの側壁の間に位置するように開口を設けた構成とした誘導加熱調理器。
【請求項３】
前記ケースＡの側壁端部と前記ケースＢの平面部の間に隙間を設けた構成とした請求項１または２に記載の誘導加熱調理器。
【請求項４】
ケースＡまたはケースＢのいずれか一方の側壁に穴または切り欠きなどの開口を設けた構成とした請求項２に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は安全性と調理性能の向上のため、その出力から温度調節を行えるように被加熱物から放射される赤外線を検出する赤外線センサが設けられ、赤外線センサには電気的なノイズ、埃や外乱光の進入による性能の低下を防ぐためにケースが設けられている（例えば、特許文献１参照）。
【先行技術文献】
【特許文献】
【０００３】
【特許文献１】特開２００８−２２６５７３号公報
【発明の概要】
【発明が解決しようとする課題】
【０００４】
しかしながら、前記従来のケースの構成では、箱体を形成している２つのケースの側壁間が当接しているため、赤外線センサを冷却するための冷却風を送風するためにはケースに貫通穴を設ける必要があり、それによって埃や外乱光が進入し、温度検知性能が低下するという課題を有していた。また、貫通穴によるシールド効果が低下し、温度検知性能が低下するという課題を有していた。
【０００５】
本発明は、埃や外乱光の進入を防ぎ、シールド効果を確保しつつ冷却性能を向上させ、ケース内の温度上昇の影響による温度検知性能の低下を防ぐことができる赤外線センサユニットを備えた誘導加熱調理器を提供することを目的とする。
【課題を解決するための手段】
【０００６】
前記従来の課題を解決するために、被加熱物を誘導加熱する加熱コイルと、前記加熱コイルに高周波電流を供給するインバータ回路と、前記被加熱物から放射される赤外線を検出する赤外線センサユニットと、前記赤外線センサユニットの出力より前記被加熱物の温度を算出する温度算出手段と、前記温度算出手段の出力に応じて前記インバータ回路の出力を制御する制御手段と、外気を本体内に送風する冷却ファンとを備え、前記赤外線センサユニットは赤外線センサと、平面部の端部を折り曲げて形成した側壁を有するケースＡと、前記ケースＡの平面部より大なる平面部の端部を折り曲げて形成した側壁を有するケースＢとで構成され、相互の側壁間に隙間を設けるとともに、前記ケースＡおよび前記ケースＢの両方の側壁に穴または切り欠きなどの開口を設け、かつ互いの前記開口が側壁垂直方向から見て貫通しない構成としたものである。
【０００７】
これにより、相互の側壁間の隙間に冷却風を送風することができ、冷却性能を向上させケース内の温度上昇の影響による温度検知性能の低下を防ぐことができる。また、更なる冷却性能向上のためにケース内に冷却風を送風ための穴や切り欠きなどの開口を設ける場合においても、相互の側壁間で貫通しないように互い違いに開口設けることで、電気的なノイズ、埃や外乱光の進入による赤外線センサの温度検知性能の低下を防ぐことができる。
【発明の効果】
【０００８】
本発明の誘導加熱調理器の赤外線センサユニットは、埃や外乱光の進入を防ぎ、シールド効果を確保しつつ冷却性能を向上させ、ケース内の温度上昇の影響による温度検知性能の低下を防ぐことができる。
【図面の簡単な説明】
【０００９】
【図１】本発明の実施の形態１における誘導加熱調理器の断面図
【図２】本発明の実施の形態１における赤外線センサユニットの分解斜視図
【図３】本発明の実施の形態１における赤外線センサユニットの正面図および断面図
【図４】本発明の実施の形態２における赤外線センサユニットの正面図および断面図
【図５】本発明の実施の形態３における赤外線センサユニットの斜視図
【図６】本発明の実施の形態３における赤外線センサユニットの斜視図
【図７】本発明の実施の形態４における赤外線センサユニットの斜視図および正面図および側面図および断面図
【図８】本発明の実施の形態５における赤外線センサユニットの斜視図および正面図
【発明を実施するための形態】
【００１０】
第１の発明は、被加熱物を誘導加熱する加熱コイルと、前記加熱コイルに高周波電流を供給するインバータ回路と、前記被加熱物から放射される赤外線を検出する赤外線センサユニットと、前記赤外線センサの出力より前記被加熱物の温度を算出する温度算出手段と、前記温度算出手段の出力に応じて前記インバータ回路の出力を制御する制御手段と外気を本体内に送風する冷却ファンとを備え、前記赤外線センサユニットは赤外線センサと、平面部の端部を折り曲げて形成した側壁を有するケースＡと、前記ケースＡの平面部より大なる平面部の端部を折り曲げて形成した側壁を有するケースＢとで構成され、相互の側壁間に隙間を設けるとともに、前記ケースＡおよび前記ケースＢの両方の側壁に穴または切り欠きなどの開口を設け、かつ互いの前記開口が側壁垂直方向から見て貫通しない構成により、相互の側壁間の隙間に冷却風を送風することができ、冷却性能を向上させ、ケース内の温度上昇の影響による温度検知性能の低下を防ぐことができる。また、ケースＡの側壁端面とケースＢの平面部が接しているため、電気的なノイズ、埃や外乱光の進入による赤外線センサの温度検知性能の低下を防ぐことができる。また、ケースＡおよびケース
Ｂの両方の側壁に穴または切り欠きなどの開口を設け、かつ互いの開口および隙間が側壁垂直方向から見て貫通しない構成としたことにより、冷却風の送風経路を拡大し、冷却性能を十分に確保することができ、ケース内の温度上昇の影響による温度検知性能の低下を防ぐことができる。また、また、赤外線センサを通る送風経路は蛇行するため、電気的なノイズ、埃や外乱光の進入による赤外線センサの温度検知性能の低下を防ぐことができる。

【００１１】
第２の発明は、被加熱物を誘導加熱する加熱コイルと、前記加熱コイルに高周波電流を供給するインバータ回路と、前記被加熱物から放射される赤外線を検出する赤外線センサユニットと、前記赤外線センサの出力より前記被加熱物の温度を算出する温度算出手段と、前記温度算出手段の出力に応じて前記インバータ回路の出力を制御する制御手段と外気を本体内に送風する冷却ファンとを備え、前記赤外線センサユニットは赤外線センサと、平面部の端部を折り曲げて形成した側壁を有するケースＡと、前記ケースＡの平面部より大なる平面部の端部を折り曲げて形成した側壁を有するケースＢとで構成され、相互の側壁間に隙間を設けるとともに、前記ケースＢの平面部にあり、かつ前記ケースＡの側壁とケースＢの側壁の間に位置するように開口を設けた構成としたことにより平面部への送風経路を確保し、冷却性能を向上させ、ケース内の温度上昇の影響による温度検知性能の低下を防ぐことができる。また、赤外線センサを通る送風経路は蛇行するため、電気的なノイズ、埃や外乱光の進入による赤外線センサの温度検知性能の低下を防ぐことができる。
【００１２】
第３の発明は、特に、第１または第２の発明の前記ケースＡの側壁端部と前記ケースＢの平面部の間に隙間を設けた構成としたことにより、ケースＡ内に冷却風を送風することができ、直接赤外線センサを冷却することができ、ケース内の温度上昇の影響による温度検知性能の低下を防ぐことができる。また、赤外線センサを通る送風経路は蛇行するため、電気的なノイズ、埃や外乱光の進入による赤外線センサの温度検知性能の低下を防ぐことができる。
【００１３】
第４の発明は、特に、第２の発明の前記ケースＡまたは前記ケースＢのいずれか一方の側壁に穴または切り欠きなどの開口を設けた構成としたことにより、冷却風の送風経路を拡大し、冷却性能を十分に確保することができ、ケース内の温度上昇の影響による温度検知性能の低下を防ぐことができる。また、赤外線センサを通る送風経路は蛇行するため、電気的なノイズ、埃や外乱光の進入による赤外線センサの温度検知性能の低下を防ぐことができる。
【００１５】
以下、本発明の実施の形態について、図面を参照しながら説明する。なお、この実施の形態によって本発明が限定されるものではない。
【００１６】
（実施の形態１）
図１は本発明の実施の形態１における誘導加熱調理器の断面図、図２は本発明の実施の形態１における赤外線センサユニットの分解斜視図、図３は本発明の実施の形態１における赤外線センサユニットの正面図および断面図である。
【００１７】
図１において本実施の形態における誘導加熱調理器は、トッププレート２１の上に載置された被加熱物２２を加熱する加熱コイル２３と、加熱コイル２３に高周波電流を供給するインバータ回路２７と、被加熱物から放射される赤外線を検出する赤外線センサユニット２４と、赤外線センサユニット２４の出力より被加熱物の温度を算出する温度算出手段２５と、温度算出手段２５の出力に応じてインバータ回路２７の出力を制御する制御手段２６と、外気を本体内に送風する冷却ファン２８とを有している。
【００１８】
図２の赤外線センサユニット２４において、ケースＡ１、ケースＢ２、赤外線センサ３である。また、同図において、発光体４、基板５、ビス６、ケースＡ１の平面部７、ケースＡ１の側壁８、ケースＢ２の平面部９、ケースＢ２の側壁１０、赤外線センサユニットの取付部１１である。
【００１９】
また、図３の赤外線センサユニット２４において、側壁８と側壁１０の間の隙間１２である。
【００２０】
以上のように構成された誘導加熱調理器について、以下その動作、作用を説明する。
【００２１】
インバータ回路２７から加熱コイル２３に高周波電流が供給されると、加熱コイル２３上方に載置された被加熱物２１が加熱される。被加熱物２１からは温度に応じた赤外線が放射されており、被加熱物２１から発した赤外線はトッププレート２２を透過して赤外線センサユニット２４に入力され、温度算出手段２５にて被加熱物２１の温度に換算される。また、冷却ファン２８により本体内に送風される冷却風によってインバータ回路２７や加熱コイル２３や赤外線センサユニット２４などが冷却され温度上昇による性能の低下を防止することができる。
【００２２】
そして、赤外線センサユニット２４は赤外線センサ３を設けた基板５と、アルミなどの導電性の金属材料により形成されたケースＡ１およびケースＢ２とで構成され、ケースＡ１とケースＢ２とで基板５を覆うように挟んでビス６で固定される。また、赤外線センサユニット２４は取付部１１を介して本体内に固定される。ここで、ケースＡ１は平面部７の端部を折り曲げて形成した側壁８を有し、ケースＢ２はケースＡ１の平面部７より大なる平面部９の端部を折り曲げて形成した側壁１０を有する。これによって、相互の側壁間に隙間１２を設けた構成としている。
【００２３】
以上より、図３の矢印で示すように冷却ファン２８からの冷却風を隙間１２に送風することにより、赤外線センサユニット２４を十分に冷却することができ、ケース内の温度上昇の影響による温度検知性能の低下を防ぐことができる。また、冷却風は赤外線センサ３に直接送風することがなく、ケースに貫通穴がないので、埃や外乱光の進入による赤外線センサの温度検知性能の低下を防ぐことができる。また、電気的なノイズの影響も低減でき、温度検知性能の低下を防ぐことができる。
【００２４】
（実施の形態２）
図４は本発明の実施の形態２における赤外線センサユニットの正面図および断面図である。尚、実施の形態１と基本構成は同じであるため説明は省略する。ケースＡ１の側壁８の端部とケースＢ２の平面部９との間に隙間１３を設けた構成としたことにより、図４の矢印で示すようにケースＡ１内に冷却風を送風することができ、直接赤外線センサ３を冷却することができる。これにより赤外線センサの温度上昇の影響による温度検知性能の低下を防ぐことができる。また、赤外線センサを通る送風経路は、隙間１３が赤外線センサ３より下側に位置することにより蛇行するためノイズや埃や外乱光が進入し難くなり従来の貫通孔形状とは異なり、電気的なノイズ、埃や外乱光の進入による赤外線センサの温度検知性能の低下を防ぐことができる。
【００２５】
（実施の形態３）
図５、図６は本発明の実施の形態３における赤外線センサユニットの斜視図である。尚、実施の形態１と基本構成は同じであるため説明は省略する。実施の形態１または２に加えて、図５においてはケースＡ１の側壁８に、図６においてはケースＢ２の側壁１０に穴または切り欠きなどの開口１４および１５を設けた構成としたことにより、図５、図６の矢印で示すように冷却風の送風経路を拡大し、冷却性能を十分に確保することができ、ケース内の温度上昇の影響による温度検知性能の低下を防ぐことができる。また、このとき赤外線センサを通る送風経路は、図５においてケースＢ２の側壁には開口１５を設けていないこと、あるいは図６においてケースＡ１の側壁には開口１４を設けていないことにより貫通孔にはならず蛇行するためノイズや埃や外乱光が進入し難くなり従来の貫通孔形状とは異なり、電気的なノイズ、埃や外乱光の進入による赤外線センサの温度検知性能の低下を防ぐことができる。
【００２６】
（実施の形態４）
図７は本発明の実施の形態４における赤外線センサユニットの斜視図および正面図および側面図および断面図である。尚、実施の形態１と基本構成は同じであるため説明は省略する。実施の形態１または２に加えて、ケースＡ１の側壁８およびケースＢ２の側壁１０の両方に穴または切り欠きなどの開口１４、１５を設け、かつ互いの開口１４、１５およびケースＡ１の側壁８の端部とケースＢ２の平面部９との間の隙間１３が側壁垂直方向から見て貫通しない構成としたことにより、図７の矢印で示すように冷却風の送風経路を更に拡大し、冷却性能を十分に確保することができ、ケース内の温度上昇の影響による温度検知性能の低下を防ぐことができる。また、赤外線センサを通る送風経路は、それぞれの開口や隙間が貫通しない構成としたことにより蛇行するためノイズや埃や外乱光が進入し難くなり従来の貫通孔形状とは異なり、電気的なノイズ、埃や外乱光の進入による赤外線センサの温度検知性能の低下を防ぐことができる。
【００２７】
（実施の形態５）
図８は実施の形態５における赤外線センサユニットの斜視図および正面図である。尚、実施の形態１と基本構成は同じであるため説明は省略する。実施の形態１から４のいずれかに加えて、ケースＢ２の平面部９に開口１６を設け、かつ開口１６をケースＡ１の側壁８とケースＢ２の側壁１０の間に位置するように設けた構成としたことにより、図８の矢印で示すように光センサユニット２４の裏面からの送風経路を確保し、冷却性能を向上させ、ケース内の温度上昇の影響による温度検知性能の低下を防ぐことができる。また、赤外線センサを通る送風経路は、開口１６が側壁８と垂直の位置関係にあることにより蛇行するためノイズや埃や外乱光が進入し難くなり従来の貫通孔形状とは異なり、電気的なノイズ、埃や外乱光の進入による赤外線センサの温度検知性能の低下を防ぐことができる。
【産業上の利用可能性】
【００２８】
以上のように、本発明の誘導加熱調理器の赤外線ユニットは、電気的なノイズ、埃や外乱光の進入による赤外線センサの温度検知性能の低下を防ぎ、かつ温度上昇の影響による
温度検知性能の低下を防ぐことができるので、赤外線ユニットを備える家庭用、業務用の加熱調理器等の用途に適用することができる。
【符号の説明】
【００２９】
１  ケースＡ
２  ケースＢ
３  赤外線センサ
５  基板
６  ビス
７、９  平面部
８、１０  側壁
１１  取付部
１２、１３  隙間
１４、１５、１６  開口
２１  被加熱物
２２  トッププレート
２３  加熱コイル
２４  赤外線センサユニット
２５  温度算出手段
２６  制御手段
２７  インバータ回路
２８  冷却ファン
【図１】
0005549188.tif 000002
【図２】
0005549188.tif 000003
【図３】
0005549188.tif 000004
【図４】
0005549188.tif 000005
【図５】
0005549188.tif 000006
【図６】
0005549188.tif 000007
【図７】
0005549188.tif 000008
【図８】
0005549188.tif 000009